【手続補正書】
【提出日】平成25年9月25日(2013.9.25)
【手続補正１】
【補正対象書類名】明細書
【補正対象項目名】０００１
【補正方法】変更
【補正の内容】
【０００１】
本出願は、２００９年１０月７日に申請された米国仮特許出願番号第６１／２４９、４３８号、および２００９年１１月２５日に申請された米国特許出願番号第１２／６２６、１０５号の利益を主張する。
【手続補正２】
【補正対象書類名】明細書
【補正対象項目名】０００３
【補正方法】変更
【補正の内容】
【０００３】
米国特許出願公開第２００３／０１５７９１６号は、ＲＦ分配システムの第１の無線周波数（ＲＦ）コンポーネントに、生成信号を提供するように命令する工程を含む。本発明は、この開示に加えて、さらに、前記信号が検出された場合に、第２のＲＦコンポーネントから情報を受信する工程であって、前記情報は、第１のＲＦコンポーネントと前記第２のＲＦコンポーネントとが電気的に接続されたことを示す情報である工程と；前記ＲＦ分配システムの残りのＲＦコンポーネントに対して、前記命令する工程と；前記受信する工程を繰り返す工程と、前記命令する工程、前記受信する工程、および前記繰り返す工程に基づいて、前記ＲＦ分配システムのＲＦ構成を決定する工程を含む。
本発明の別の実施形態によれば、装置は、第１の無線周波数（ＲＦ）コンポーネントと、第２のＲＦコンポーネントと、少なくとも一つのプロセッサ−と、機械で実行可能な命令を記憶するメモリであって、前記命令が実行されると、装置を、ＲＦ分配システムの第１のＲＦコンポーネントに信号を生成するように命令する工程と、前記第２のＲＦコンポーネントで、前記信号が検出されると、前記第２のＲＦコンポーネントから、前記第１のＲＦコンポーネントと前記第２のＲＦコンポーネントが電気的に接続されたことを示す情報を受信する工程と、前記ＲＦ分配システムの残りのＲＦコンポーネントに対して、前記命令する工程と、前記受信する工程とを繰り返す工程と、前記命令する工程、前記受信する工程、および前記繰り返す工程に基づいて、前記ＲＦ分配システムのＲＦ構成を決定する工程として動作させるメモリとを含む。
【手続補正３】
【補正対象書類名】明細書
【補正対象項目名】０００４
【補正方法】変更
【補正の内容】
【０００４】
本発明の別の実施形態によれば、ＲＦ分配システム（例えば、ワイアレス  マイクロホンレシーバ、スキャナ、アンテナ分配システム、または、本明細書に記載のコンポーネントの一部または全部を含むすべてのシステム）は、その構成を決定し、および決定された構成の一貫性を検証する。分配システムの第１のＲＦコンポーネントは、第１のポートの信号を変調する。第２のＲＦコンポーネントが、第２のポートで変調された信号を検出すると、次に、プロセッサ−は、２つのＲＦコンポーネントが一緒に接続されていると判断する。プロセッサ−によって構成が決定されると、ＲＦ分配は、構成に一貫性があるか否かを検証する（例えば、接続されたコンポーネントが同一周波数帯で動作するか否か、および、すべてのコンポーネントが少なくとも一つの他のコンポーネントに接続されているか否か）。
【手続補正４】
【補正対象書類名】明細書
【補正対象項目名】０００５
【補正方法】変更
【補正の内容】
【０００５】
本発明の別の実施形態によれば、第１のＲＦコンポーネントは、ＤＣ電圧レベルを変更すること、またはトーンに基づいて生成信号を変調できる。
【手続補正５】
【補正対象書類名】明細書
【補正対象項目名】０００６
【補正方法】変更
【補正の内容】
【０００６】
本発明の別の実施形態によれば、それぞれのＲＦコンポーネントのデバイス識別子に基づいて、ＲＦ分配システムは、それぞれのＲＦコンポーネントに、別々に、生成信号を提供するように命令することができる。デバイス識別子は、イーサネット（登録商標）、ＵＳＢ、およびＺｉｇｂｅｅ（登録商標）を含むサポートされたプロトコルによって支持される、デバイスアドレスから得ることができる。
【手続補正６】
【補正対象書類名】明細書
【補正対象項目名】０００７
【補正方法】変更
【補正の内容】
【０００７】
本発明の別の実施形態によれば、決定されたＲＦ構成は、一貫した動作を検証することができる。例えば、接続されたＲＦコンポーネントの周波数帯の一貫性を検証し、ＲＦ分配システムのそれぞれのＲＦコンポーネントが、別のコンポーネントに接続されていることを検証し、および、ＲＦコンポーネントがＲＦ構成の末端でない場合には、それぞれのＲＦコンポーネントが、先行するＲＦコンポーネント、および後続するＲＦコンポーネントに接続されていることを検証できる。
【手続補正７】
【補正対象書類名】明細書
【補正対象項目名】０００８
【補正方法】変更
【補正の内容】
【０００８】
本発明の別の実施形態によれば、ＲＦ分配システムは、ＲＦスペクトルをスキャンし、スキャンに基づいてＲＦ分配システムにとって互換性のあるＲＦを提供する、一組の周波数を決定し、一組の周波数に対応するＲＦコンポーネントを構成する。
【手続補正８】
【補正対象書類名】特許請求の範囲
【補正対象項目名】全文
【補正方法】変更
【補正の内容】
【特許請求の範囲】
【請求項１】
ＲＦ分配システム（１００）の第１の無線周波数（ＲＦ）コンポーネント（１０５、１０７、１０９、１１１）に、生成信号を提供するように命令する工程と、
前記信号が検出された場合に、第２のＲＦコンポーネント（１０５、１０７、１０９、１１１）から情報を受信する工程であって、前記情報は、第１のＲＦコンポーネントと前記第２のＲＦコンポーネントとが電気的に接続されたことを示す情報である工程と、
前記ＲＦ分配システムの残りのＲＦコンポーネントに対して、前記命令する工程と、前記受信する工程を繰り返す工程と、
前記命令する工程、前記受信する工程、および前記繰り返す工程に基づいて、前記ＲＦ分配システムのＲＦ構成を決定する工程を含む方法。
【請求項２】
請求項１に記載の方法において、
前記生成信号のＤＣ電圧レベルを変化させることによって、あるいは、トーンによって特徴付けられる変調信号によって、前記生成信号を変調する工程をさらに含む方法。
【請求項３】
請求項１または２に記載の方法において、
前記繰り返す工程は、次のＲＦコンポーネントのデバイス識別子に基づいて、前記次のＲＦコンポーネントを決定する工程をさらに含み、好ましく前記デバイス識別子は、媒体アクセス制御（ＭＡＣ）アドレスを含む方法。
【請求項４】
請求項１〜３の何れかに記載の方法において、
一貫した動作のために決定されたＲＦ構成を検証する工程をさらに含む方法。
【請求項５】
請求項４に記載の方法において、
前記検証する工程は、
接続されたＲＦコンポーネントに対する周波数帯の一貫性を検証する工程、
前記ＲＦ分配システムのそれぞれのＲＦコンポーネントが、別のコンポーネントに接続されていることを検証する工程、および／または、
それぞれのＲＦコンポーネントが前記ＲＦ構成の末端でない場合には、それぞれの前記ＲＦコンポーネントは先行するＲＦコンポーネント、および後続するＲＦコンポーネントに接続されていることを検証する工程を含む方法。
【請求項６】
請求項１〜５の何れかに記載の方法において、
前記ＲＦ分配システムのアンテナからの信号のＲＦスペクトルに関するスペクトル情報を得る工程と、
前記スペクトル情報に基づいて、前記ＲＦ分配システムに対して互換性を有するＲＦを提供する一組の周波数を決定する工程と、
前記一組の周波数に従う、前記第１のＲＦコンポーネントと前記第２のＲＦコンポーネントを構成する工程を、さらに含む方法。
【請求項７】
第１の無線周波数（ＲＦ）コンポーネント（１０５、１０７、１０９、１１１）と、
第２のＲＦコンポーネント（１０５、１０７、１０９、１１１）と、
少なくとも一つのプロセッサ−（１０１）と、
機械で実行可能な命令を記憶するメモリ（１１３）であって、前記命令が実行されると、装置を、
ＲＦ分配システム（１００）の第１のＲＦコンポーネントに信号を生成するように命令する工程と、
前記第２のＲＦコンポーネントで、前記信号が検出されると、前記第２のＲＦコンポーネントから、前記第１のＲＦコンポーネントと前記第２のＲＦコンポーネントが電気的に接続されたことを示す情報を受信する工程と、
前記ＲＦ分配システムの残りのＲＦコンポーネントに対して、前記命令する工程と、前記受信する工程とを繰り返す工程と、
前記命令する工程、前記受信する工程、および前記繰り返す工程に基づいて、前記ＲＦ分配システムのＲＦ構成を決定する工程として動作させるメモリとを含む装置。
【請求項８】
請求項７に記載の装置において、
第１のプロセッサ−は前記第１のＲＦコンポーネントに実装され、および第２のプロセッサ−は、前記第２のＲＦコンポーネント実装される装置。
【請求項９】
請求項７または８に記載の装置において、
前記ＲＦ分配システムのアンテナからの信号のＲＦスペクトルをスキャンし、およびスキャン結果を少なくとも一つのプロセッサ−に提供するスキャナをさらに含み、
前記命令は、前記装置を、さらに、
前記装置に互換性のあるＲＦを提供するために、前記スキャン結果から一組の周波数を決定させ、前記一組の周波数に従って、前記第１のＲＦコンポーネントと前記第２のＲＦコンポーネントを構成するように動作させる装置。
【請求項１０】
請求項７〜９の何れかに記載の装置において、
前記第１のＲＦコンポーネントは、前記信号のＤＣ電圧レベルを変化させて、または、トーンによって特徴付けられる変調信号によって、前記信号を変調させる装置。
【請求項１１】
請求項７〜１０の何れかに記載の装置において、
前記命令は前記装置に、
媒体アクセス制御（ＭＡＣ）アドレスに基づいて、次のＲＦコンポーネントを決定させる装置。
【請求項１２】
請求項７〜１１の何れかに記載の装置において、
前記命令は、さらに前記装置に、
前記決定されたＲＦ構成の動作の一貫性を検証させる装置。
【請求項１３】
コンピュータ−実行可能な命令を記憶するコンピュータ読み取り可能な記憶媒体（１１３）であって、前記命令が実行されると、プロセッサ−に、請求項１〜６の何れかに記載の方法を実行させ、前記生成信号は変調された信号である記憶媒体。
【請求項１４】
請求項１３に記載のコンピュータ読み取り可能な記憶媒体において、
前記方法は、さらに、スキャナに、前記ＲＦ分配システムのアンテナからの信号のＲＦスペクトルをスキャンさせるように命令する工程と、
前記スキャナからスキャン結果を受信する工程と、
前記受信に応答して、前記ＲＦ分配システムに対して互換性を有するＲＦを提供する一組の周波数を決定する工程と、
前記一組の周波数に対応する、前記第１のＲＦコンポーネントと前記第２のＲＦコンポーネントを構成する工程とを含む記憶媒体。